(57)【要約】  本発明は応答情報処理方法を開示し、ネットワーク装置がユーザ装置がターゲットデータに対応する応答情報を送信するかどうかを判断して判断結果を取得することと、前記判断結果を含む指示シグナリングを前記ユーザ装置に送信することと、前記ユーザ装置がネットワーク装置から送信された指示シグナリングに基づいて、ターゲットデータに対応する応答情報を送信するかどうかを決定することと、を含む。本発明は更に他の応答情報処理方法、ネットワーク装置、ユーザ装置及び記憶媒体を開示した。
2021513812.tif 000002
【特許請求の範囲】
【請求項１】
応答情報処理方法であって、
ユーザ装置（ＵＥ）がネットワーク装置から送信された指示シグナリングに基づいて、ターゲットデータに対応する応答情報を送信するかどうかを決定することを含む応答情報処理方法。
【請求項２】
前記指示シグナリングは第１情報フィールドを含み、
それに対応して、前記ＵＥがネットワーク装置から送信された指示シグナリングに基づいて、ターゲットデータに対応する応答情報を送信するかどうかを決定することは、
前記ＵＥが前記第１情報フィールドの値に基づいて、ターゲットデータに対応する応答情報を送信するかどうかを決定することを含む請求項１に記載の方法。
【請求項３】
前記ＵＥが前記第１情報フィールドの値に基づいて、ターゲットデータに対応する応答情報を送信するかどうかを決定することは、
前記ＵＥが前記第１情報フィールドの値が第１閾値であると判断した場合、前記ターゲットデータに対応する応答情報を送信しないと決定し、又は、
前記ＵＥが前記第１情報フィールドの値が第２閾値であると判断した場合、前記ターゲットデータに対応する応答情報を送信すると決定することを含む請求項２に記載の方法。
【請求項４】
前記指示シグナリングは第２情報フィールドを含み、
それに対応して、前記ＵＥがネットワーク装置から送信された指示シグナリングに基づいて、ターゲットデータに対応する応答情報を送信するかどうかを決定することは、
前記ＵＥが前記第２情報フィールドに基づいて、ターゲットデータに対応する応答情報を送信するかどうかを決定し、前記第２情報フィールドは応答情報の伝送時間又は応答情報を送信しないことを指示することに用いられることを含む請求項１に記載の方法。
【請求項５】
前記第２情報フィールドは物理ダウンリンク共有チャネルのハイブリッド自動再送要求フィードバックタイミング指示を含む請求項４に記載の方法。
【請求項６】
前記ＵＥが前記第２情報フィールドに基づいて、ターゲットデータに対応する応答情報を送信するかどうかを決定することは、
前記ＵＥが前記第２情報フィールドにおいて指示された応答情報の伝送時間が第３閾値であると決定した場合、前記ターゲットデータに対応する応答情報を送信しないと決定し、又は、
前記ＵＥが前記第２情報フィールドにおいて指示された応答情報の伝送時間が第３閾値でないと決定した場合、前記第２情報フィールドにおいて指示された応答情報の伝送時間内に前記ターゲットデータに対応する応答情報を送信すると決定し、又は、
前記ＵＥが前記第２情報フィールドにおいて指示された応答情報の伝送時間が第４閾値以下であると決定した場合、前記第２情報フィールドにおいて指示された応答情報の伝送時間内に前記ターゲットデータに対応する応答情報を送信すると決定することを含む請求項４に記載の方法。
【請求項７】
前記ＵＥが前記第２情報フィールドに基づいて、ターゲットデータに対応する応答情報を送信するかどうかを決定することは、
前記ＵＥが前記第２情報フィールドの値が第５閾値であると決定した場合、前記ターゲットデータに対応する応答情報を送信しないと決定し、又は、
前記ＵＥが前記第２情報フィールドの値が第５閾値でないと決定した場合、前記第２情報フィールドにおいて指示された応答情報の伝送時間内に前記ターゲットデータに対応する応答情報を送信すると決定することを含む請求項４に記載の方法。
【請求項８】
前記方法は更に、
前記ＵＥが前記第２情報フィールドの値及び第１マッピング関係に基づいて前記第２情報フィールドにおいて指示された応答情報の伝送時間を決定し、
前記第１マッピング関係は前記ネットワーク装置によって設定され、又は、プロトコルによって約束されることを含む請求項４〜７のいずれか１項に記載の方法。
【請求項９】
前記ターゲットデータに対応する応答情報を送信すると決定した後、前記方法は更に、
前記ＵＥが前記応答情報を伝送する物理リソースを決定することを含む請求項３、６又は７に記載の方法。
【請求項１０】
前記ターゲットデータに対応する応答情報を送信しないと決定した場合、前記指示シグナリングの第３情報フィールドは応答情報伝送に関連しない情報を指示することに用いられ、
前記ターゲットデータに対応する応答情報を送信すると決定した場合、前記第３情報フィールドは応答情報伝送に関連する情報を指示することに用いられる請求項３、６又は７に記載の方法。
【請求項１１】
前記第１閾値、第２閾値、第３閾値、第４閾値及び第５閾値のいずれの値も前記ネットワーク装置によって設定され、又は、プロトコルによって約束される請求項３、６又は７に記載の方法。
【請求項１２】
前記指示シグナリングは前記ターゲットデータの伝送をスケジューリングすることに用いられる請求項１〜１１のいずれか１項に記載の方法。
【請求項１３】
前記指示シグナリングはダウンリンク制御シグナリングである請求項１〜１２のいずれか１項に記載の方法。
【請求項１４】
応答情報処理方法であって、
ネットワーク装置が、ユーザ装置（ＵＥ）がターゲットデータに対応する応答情報を送信するかどうかを判断して判断結果を取得することと、
前記判断結果を含む指示シグナリングを前記ＵＥに送信することと、を含む応答情報処理方法。
【請求項１５】
前記指示シグナリングは第１情報フィールドを含み、
前記第１情報フィールドの値が第１閾値である場合、前記ターゲットデータに対応する応答情報を送信しないように前記ＵＥに指示し、又は、
前記第１情報フィールドの値が第２閾値である場合、前記ターゲットデータに対応する応答情報を送信するように前記ＵＥに指示する請求項１４に記載の方法。
【請求項１６】
前記指示シグナリングは第２情報フィールドを含み、
前記第２情報フィールドに含まれる応答情報の伝送時間が第３閾値である場合、前記ターゲットデータに対応する応答情報を送信しないように前記ＵＥに指示し、又は、
前記第２情報フィールドに含まれる応答情報の伝送時間が第３閾値でない場合、前記第２情報フィールドにおいて指示された応答情報の伝送時間内に前記ターゲットデータに対応する応答情報を送信するように前記ＵＥに指示し、又は、
前記第２情報フィールドにおいて指示された応答情報の伝送時間が第４閾値以下である場合、前記第２情報フィールドにおいて指示された応答情報の伝送時間内に前記ターゲットデータに対応する応答情報を送信するように前記ＵＥに指示し、
前記第２情報フィールドは物理ダウンリンク共有チャネルのハイブリッド自動再送要求フィードバックタイミング指示を含む請求項１４に記載の方法。
【請求項１７】
前記指示シグナリングは第２情報フィールドを含み、
前記第２情報フィールドの値が第５閾値である場合、前記ターゲットデータに対応する応答情報を送信しないように前記ＵＥに指示し、
前記第２情報フィールドの値が第５閾値でない場合、前記第２情報フィールドにおいて指示された応答情報の伝送時間内に前記ターゲットデータに対応する応答情報を送信するように前記ＵＥに指示し、前記第２情報フィールドは物理ダウンリンク共有チャネルのハイブリッド自動再送要求フィードバックタイミング指示を含む請求項１４に記載の方法。
【請求項１８】
前記第１閾値、第２閾値、第３閾値、第４閾値及び第５閾値のいずれの値も前記ネットワーク装置によって設定され、又は、プロトコルによって約束される請求項１５、１６又は１７に記載の方法。
【請求項１９】
前記指示シグナリングが前記ターゲットデータに対応する応答情報を送信しないように前記ＵＥに指示する場合、前記方法は更に、
応答情報伝送に関連しない第３情報フィールドの値を設定し、それによって、前記指示シグナリングが応答情報伝送に関連しない情報を指示することに用いられることを含み、
前記指示シグナリングが前記ターゲットデータに対応する応答情報を送信するように前記ＵＥに指示する場合、前記第３情報フィールドは応答情報伝送に関連する情報を指示することに用いられる請求項１５、１６又は１７に記載の方法。
【請求項２０】
前記指示シグナリングは前記ターゲットデータの伝送をスケジューリングすることに用いられる請求項１４〜１９のいずれか１項に記載の方法。
【請求項２１】
前記指示シグナリングはダウンリンク制御シグナリングである請求項１４〜２０のいずれか１項に記載の方法。
【請求項２２】
ユーザ装置であって、
ネットワーク装置から送信された指示シグナリングを受信するように設定される受信ユニットと、
前記指示シグナリングに基づいて、ターゲットデータに対応する応答情報を送信するかどうかを決定するように設定される決定ユニットと、を備えるユーザ装置。
【請求項２３】
前記指示シグナリングは第１情報フィールドを含み、
前記決定ユニットは、前記第１情報フィールドの値に基づいてターゲットデータに対応する応答情報を送信するかどうかを決定するように設定される請求項２２に記載のユーザ装置。
【請求項２４】
前記決定ユニットは、前記第１情報フィールドの値が第１閾値であると判断した場合、前記ターゲットデータに対応する応答情報を送信しないと決定し、又は、
前記第１情報フィールドの値が第２閾値であると判断した場合、前記ターゲットデータに対応する応答情報を送信すると決定するように設定される請求項２３に記載のユーザ装置。
【請求項２５】
前記指示シグナリングは第２情報フィールドを含み、
前記決定ユニットは、前記第２情報フィールドに基づいて、ターゲットデータに対応する応答情報を送信するかどうかを決定するように設定され、前記第２情報フィールドは応答情報の伝送時間又は応答情報を送信しないことを指示することに用いられる請求項２２に記載のユーザ装置。
【請求項２６】
前記第２情報フィールドは物理ダウンリンク共有チャネルのハイブリッド自動再送要求フィードバックタイミング指示を含む請求項２５に記載のユーザ装置。
【請求項２７】
前記決定ユニットは、前記ＵＥが前記第２情報フィールドにおいて指示された応答情報の伝送時間が第３閾値であると決定した場合、前記ターゲットデータに対応する応答情報を送信しないと決定し、又は、
前記第２情報フィールドにおいて指示された応答情報の伝送時間が第３閾値でないと決定した場合、前記第２情報フィールドにおいて指示された応答情報の伝送時間内に前記ターゲットデータに対応する応答情報を送信すると決定し、又は、
前記第２情報フィールドにおいて指示された応答情報の伝送時間が第４閾値以下であると決定した場合、前記第２情報フィールドにおいて指示された応答情報の伝送時間内に前記ターゲットデータに対応する応答情報を送信すると決定するように設定される請求項２５に記載のユーザ装置。
【請求項２８】
前記決定ユニットは、前記第２情報フィールドの値が第５閾値であると決定した場合、前記ターゲットデータに対応する応答情報を送信しないと決定し、又は、
前記第２情報フィールドの値が第５閾値でないと決定した場合、前記第２情報フィールドにおいて指示された応答情報の伝送時間内に前記ターゲットデータに対応する応答情報を送信すると決定するように設定される請求項２５に記載のユーザ装置。
【請求項２９】
前記決定ユニットは更に、前記第２情報フィールドの値及び第１マッピング関係に基づいて前記第２情報フィールドにおいて指示された応答情報の伝送時間を決定するように設定され、
前記第１マッピング関係は前記ネットワーク装置によって設定され、又は、プロトコルによって約束される請求項２５〜２８のいずれか１項に記載のユーザ装置。
【請求項３０】
前記決定ユニットは更に、前記応答情報を伝送する物理リソースを決定するように設定される請求項２４、２７又は２８に記載のユーザ装置。
【請求項３１】
前記決定ユニットが前記ターゲットデータに対応する応答情報を送信しないと決定した場合、前記指示シグナリングは応答情報伝送に関連しない情報を指示することに用いられ、
前記決定ユニットが前記ターゲットデータに対応する応答情報を送信すると決定した場合、前記第３情報フィールドは応答情報伝送に関連する情報を指示することに用いられる請求項２４、２７又は２８に記載のユーザ装置。
【請求項３２】
前記第１閾値、第２閾値、第３閾値、第４閾値及び第５閾値のいずれの値も前記ネットワーク装置によって設定され、又は、プロトコルによって約束される請求項２４、２７又は２８に記載のユーザ装置。
【請求項３３】
前記指示シグナリングは前記ターゲットデータの伝送をスケジューリングすることに用いられる請求項２２〜３２のいずれか１項に記載のユーザ装置。
【請求項３４】
前記指示シグナリングはダウンリンク制御シグナリングである請求項２２〜３３のいずれか１項に記載のユーザ装置。
【請求項３５】
ネットワーク装置であって、
ユーザ装置（ＵＥ）がターゲットデータに対応する応答情報を送信するかどうかを判断して判断結果を取得するように設定される判断ユニットと、
前記判断結果を含む指示シグナリングを前記ＵＥに送信するように設定される送信ユニットと、を備えるネットワーク装置。
【請求項３６】
前記指示シグナリングは第１情報フィールドを含み、
前記第１情報フィールドの値が第１閾値である場合、前記ターゲットデータに対応する応答情報を送信しないように前記ＵＥに指示し、又は、
前記第１情報フィールドの値が第２閾値である場合、前記ターゲットデータに対応する応答情報を送信するように前記ＵＥに指示する請求項３５に記載のネットワーク装置。
【請求項３７】
前記指示シグナリングは第２情報フィールドを含み、
前記第２情報フィールドに含まれる応答情報の伝送時間が第３閾値である場合、前記ターゲットデータに対応する応答情報を送信しないように前記ＵＥに指示し、又は、
前記第２情報フィールドに含まれる応答情報の伝送時間が第３閾値でない場合、前記第２情報フィールドにおいて指示された応答情報の伝送時間内に前記ターゲットデータに対応する応答情報を送信するように前記ＵＥに指示し、又は、
前記第２情報フィールドにおいて指示された応答情報の伝送時間が第４閾値以下である場合、前記第２情報フィールドにおいて指示された応答情報の伝送時間内に前記ターゲットデータに対応する応答情報を送信するように前記ＵＥに指示し、前記第２情報フィールドは物理ダウンリンク共有チャネルのハイブリッド自動再送要求フィードバックタイミング指示を含む請求項３５に記載のネットワーク装置。
【請求項３８】
前記指示シグナリングは第２情報フィールドを含み、
前記第２情報フィールドの値が第５閾値である場合、前記ターゲットデータに対応する応答情報を送信しないように前記ＵＥに指示し、
前記第２情報フィールドの値が第５閾値でない場合、前記第２情報フィールドの指示した伝送時間内に前記ターゲットデータに対応する応答情報を送信するように前記ＵＥに指示し、前記第２情報フィールドは物理ダウンリンク共有チャネルのハイブリッド自動再送要求フィードバックタイミング指示を含む請求項３５に記載のネットワーク装置。
【請求項３９】
前記第１閾値、第２閾値、第３閾値、第４閾値及び第５閾値のいずれの値も前記ネットワーク装置によって設定され、又は、プロトコルによって約束される請求項３６、３７又は３８に記載の方法。
【請求項４０】
前記ネットワーク装置は更に、
前記指示シグナリングが前記ターゲットデータに対応する応答情報を送信しないように前記ＵＥに指示する場合、応答情報伝送に関連しない情報フィールドの値を設定するように設定され、これにより、前記指示シグナリングが応答情報伝送に関連しない情報フィールドを指示することに用いられる設定ユニットを備える請求項３６、３７又は３８に記載のネットワーク装置。
【請求項４１】
前記指示シグナリングは前記ターゲットデータの伝送をスケジューリングすることに用いられる請求項３５〜４０のいずれか１項に記載のネットワーク装置。
【請求項４２】
前記指示シグナリングはダウンリンク制御シグナリングである請求項３５〜４１のいずれか１項に記載のネットワーク装置。
【請求項４３】
ユーザ装置であって、プロセッサ、及びプロセッサにおいて実行できるコンピュータプログラムを記憶するためのメモリを備え、
前記プロセッサは、前記コンピュータプログラムが実行される時、請求項１〜１３のいずれか１項に記載の方法のステップを実行することに用いられるユーザ装置。
【請求項４４】
ネットワーク装置であって、プロセッサ、及びプロセッサにおいて実行できるコンピュータプログラムを記憶するためのメモリを備え、
前記プロセッサは、前記コンピュータプログラムが実行される時、請求項１４〜２１のいずれか１項に記載の方法のステップを実行することに用いられるネットワーク装置。
【請求項４５】
記憶媒体であって、実行可能なプログラムを記憶し、前記実行可能なプログラムがプロセッサによって実行される時、請求項１〜１３のいずれか１項に記載の応答情報処理方法が実現され、又は請求項１４〜２１のいずれか１項に記載の応答情報処理方法が実現される記憶媒体。
【発明の詳細な説明】
【技術分野】
【０００１】
本発明は無線通信技術分野に関し、特に応答情報処理方法、装置、及び記憶媒体に関する。
【背景技術】
【０００２】
第５世代（５Ｇ、５ｔｈ  Ｇｅｎｅｒａｔｉｏｎ）新無線（ＮＲ、Ｎｅｗ  Ｒａｄｉｏ）システムでは、データに対する確認（ＡＣＫ、Ａｃｋｎｏｗｌｅｄｇｅ）又は非確認（ＮＡＣＫ、Ｎｏｎ−Ａｃｋｎｏｗｌｅｄｇｅ）応答情報を伝送するユーザ装置の伝送時間は、５Ｇ基地局（ｇＮＢ、ｇ  ＮｏｄｅＢ）によって動的に指示されることができる。例えば、ｇＮＢはタイムスロット（ｓｌｏｔ）ｎにおいて物理ダウンリンク共有チャネル（ＰＤＳＣＨ、Ｐｈｙｓｉｃａｌ  Ｄｏｗｎｌｉｎｋ  Ｓｈａｒｅｄ  Ｃｈａｎｎｅｌ）をスケジューリングして伝送し、そして該ＰＤＳＣＨをスケジューリングするダウンリンク許可（ＤＬ  ｇｒａｎｔ、Ｄｏｗｎ  Ｌｉｎｋ  ｇｒａｎｔ）において伝送時間ｋ１を指示し、ＵＥはｇＮＢの指示に基づいて、ｓｌｏｔ（ｎ＋ｋ１）において、該ＰＤＳＣＨに対応するＡＣＫ／ＮＡＣＫ応答情報を伝送する。
【０００３】
尚、５Ｇ  ＮＲシステムは、遅延に敏感な高信頼性通信（ＵＲＬＬＣ、Ｕｌｔｒａ  Ｒｅｌｉａｂｌｅ  ＆  Ｌｏｗ  Ｌａｔｅｎｃｙ  Ｃｏｍｍｕｎｉｃａｔｉｏｎ）サービスをサポートする。時分割二重（ＴＤＤ、Ｔｉｍｅ  Ｄｉｖｉｓｉｏｎ  Ｄｕｐｌｅｘｉｎｇ）システムでは、アップリンク・ダウンリンクリソースが時分割の方式で多重化されるため、ＰＤＳＣＨの応答情報を伝送するＵＥの伝送時間を決定する時、データ処理の遅延を考慮必要だけでなく、使用可能なアップリンクリソース位置も考慮必要である。従って、ＴＤＤシステムでＵＲＬＬＣサービスを伝送する場合、一部の時刻に伝送されるＰＤＳＣＨに対応する最初の伝送可能アップリンクフィードバック時間リソースは既にサービスの遅延要求を超えている。この時、ＵＥが続けて対応するＡＣＫ／ＮＡＣＫ応答情報を伝送すると、ＵＥの消費電力及び５Ｇ  ＮＲシステムにおけるアップリンク制御チャネルのオーバーヘッドが浪費されるだけでなく、アップリンク制御チャネルと５Ｇ  ＮＲシステムにおける他のチャネルとの衝突を招く可能性もある。
【発明の概要】
【０００４】
上記の技術課題を解決するために、本発明実施例は、応答情報処理方法、装置、及び記憶媒体を提供する。
【０００５】
本発明実施例は応答情報処理方法を提供し、
ＵＥがネットワーク装置から送信された指示シグナリングに基づいて、ターゲットデータに対応する応答情報を送信するかどうかを決定することを含む。
【０００６】
本発明実施例は更に応答情報処理方法を提供し、
ネットワーク装置が、ＵＥがターゲットデータに対応する応答情報を送信するかどうかを判断して判断結果を取得することと、
前記判断結果を含む指示シグナリングを前記ＵＥに送信することと、を含む。
【０００７】
本発明実施例はＵＥを提供し、
ネットワーク装置から送信された指示シグナリングを受信するように設定される受信ユニットと、
前記指示シグナリングに基づいて、ターゲットデータに対応する応答情報を送信するかどうかを決定するように設定される決定ユニットと、を備える。
【０００８】
本発明実施例はネットワーク装置を提供し、
ＵＥがターゲットデータに対応する応答情報を送信するかどうかを判断して判断結果を取得するように設定される判断ユニットと、
前記判断結果を含む指示シグナリングを前記ＵＥに送信するように設定される送信ユニットと、を備える。
【０００９】
本発明実施例は更に他のＵＥを提供し、プロセッサ、及びプロセッサにおいて実行できるコンピュータプログラムを記憶するためのメモリを備え、
前記プロセッサは、前記コンピュータプログラムが実行される時、ネットワーク装置から送信された指示シグナリングに基づいて、ターゲットデータに対応する応答情報を送信するかどうかを決定することを実行することに用いられる。
【００１０】
本発明実施例は更に他のネットワーク装置を提供し、プロセッサ、及びプロセッサにおいて実行できるコンピュータプログラムを記憶するためのメモリを備え、
前記プロセッサは、前記コンピュータプログラムが実行される時、ＵＥがターゲットデータに対応する応答情報を送信するかどうかを判断して判断結果を取得することと、
前記判断結果を含む指示シグナリングを前記ＵＥに送信することと、を実行することに用いられる。
【００１１】
本発明実施例は記憶媒体を提供し、実行可能なプログラムを記憶し、前記実行可能なプログラムがプロセッサによって実行される時、ネットワーク装置から送信された指示シグナリングに基づいて、ターゲットデータに対応する応答情報を送信するかどうかを決定することを実現し、
又は、ＵＥがターゲットデータに対応する応答情報を送信するかどうかを判断して判断結果を取得することと、前記判断結果を含む指示シグナリングを前記ＵＥに送信することとを実現する。
【００１２】
本発明実施例の提供する応答情報処理方法、装置、及び記憶媒体は、ネットワーク装置がＵＥがターゲットデータに対応する応答情報を送信する必要があるかどうかを事前に判断し、そして判断結果を指示シグナリングに含ませてＵＥに送信することによって、ＵＥがネットワーク装置の指示に基づいてターゲットデータに対応する応答情報を送信する又は送信しないことができるようにさせる。そうすると、ターゲットデータに対応する応答情報を伝送する必要がない時でも、ＵＥがターゲットデータに対応する応答情報を続けて伝送する、というのを回避し、ＵＥの消費電力及び５Ｇ  ＮＲシステムにおけるアップリンク制御チャネルのオーバーヘッドが節約されるだけでなく、アップリンク制御チャネルと５Ｇ  ＮＲシステムにおける他のチャネルとの衝突も回避できる。
【図面の簡単な説明】
【００１３】
【図１】図１は本発明実施例１が提供する応答情報処理方法の処理プロセスの模式図である。
【図２】図２は本発明実施例２が提供する応答情報処理方法の処理プロセスの模式図である。
【図３】図３は本発明実施例３が提供する応答情報処理方法の処理プロセスの模式図である。
【図４】図４は本発明実施例の第２情報フィールドの値と応答情報の伝送時間との対応関係の模式図である。
【図５】図５は本発明実施例５が提供する応答情報処理方法の処理プロセスの模式図である。
【図６】図６は本発明実施例６が提供する応答情報処理方法の処理プロセスの模式図である。
【図７】図７は本発明実施例７が提供するユーザ装置の構成構造の模式図である。
【図８】図８は本発明実施例８が提供するネットワーク装置の構成構造の模式図である。
【図９】図９は本発明実施例の電子デバイスのハードウェア構成構造の模式図である。
【発明を実施するための形態】
【００１４】
本発明実施例の特徴と技術内容をより詳しく理解できるために、以下は図面を参照しながら本発明実施例の実現について詳しく説明する。添付の図面は単に説明・参考するためのものであり、本発明実施例を限定するためのものではない。
【００１５】
実施例１
本発明実施例１は応答情報処理方法を提供し、ＵＥに適用され、応答情報処理方法の処理プロセスは、図１に示すように、以下のステップＳ１０１〜ステップＳ１０２を含む。
【００１６】
ステップＳ１０１、ＵＥはネットワーク装置から送信された指示シグナリングを受信する。
【００１７】
前記指示シグナリングはターゲットデータの伝送をスケジューリングすることに用いられ、前記指示シグナリングはダウンリンク制御シグナリングである。
【００１８】
ステップＳ１０２、ＵＥは前記指示シグナリングに基づいて、ターゲットデータに対応する応答情報を送信するかどうかを決定する。
【００１９】
ターゲットデータに対応する応答情報はＡＣＫ／ＮＡＣＫであり、ＡＣＫはＵＥがネットワーク装置から送信されたターゲットデータを受信したと確認したことを表し、ＮＡＣＫはＵＥがネットワーク装置から送信されたターゲットデータを受信していないと確認したことを表す。
【００２０】
ＵＥがターゲットデータに対応する応答情報を送信すると決定した場合、ＵＥがターゲットデータに対応するＡＣＫ／ＮＡＣＫメッセージをネットワーク装置に送信する必要があることを表し、ＵＥがターゲットデータに対応する応答情報を送信しないと決定した場合、ＵＥがターゲットデータに対応するＡＣＫ／ＮＡＣＫメッセージをネットワーク装置に送信する必要がないことを表す。
【００２１】
実施例２
本発明実施例２は応答情報処理方法を提供し、ＵＥに適用され、応答情報処理方法の処理プロセスは、図２に示すように、以下のステップＳ２０１〜ステップＳ２０２を含む。
【００２２】
ステップＳ２０１、ＵＥはネットワーク装置から送信された、第１情報フィールドを含む指示シグナリングを受信する。
【００２３】
前記指示シグナリングはターゲットデータの伝送をスケジューリングすることに用いられ、前記指示シグナリングはダウンリンク制御シグナリングである。
【００２４】
ステップＳ２０２、ＵＥは前記第１情報フィールドの値に基づいて、ターゲットデータに対応する応答情報を送信するかどうかを決定する。
【００２５】
１つの実施例では、前記第１情報フィールドはターゲットデータに対応する応答情報を送信するかどうかをＵＥに指示することに用いられ、前記ＵＥは前記第１情報フィールドの値が第１閾値であると判断した場合、ターゲットデータに対応する応答情報を送信しないと決定し、ＵＥは第１情報フィールドの値が第２閾値であると判断した場合、ターゲットデータに対応する応答情報を送信すると決定する。
【００２６】
例えば、ＵＥは第１情報フィールドの値が０であると判断した場合、ターゲットデータに対応する応答情報を送信せず、ＵＥは第１情報フィールドの値が１であると判断した場合、ターゲットデータに対応する応答情報を送信する。ここでは、単に第１情報フィールドの値が０と１であるのを例にしているが、実際の応用では、第１情報フィールドの値は０及び１以外の他の数値に設定されてもよく、ターゲットデータに対応する応答情報を送信する又は送信しないことを指示することに用いられる。
【００２７】
前記第１閾値と第２閾値の値はいずれもネットワーク装置によって設定され、又は、プロトコルによって約束されてもよい。
【００２８】
実施例３
本発明実施例３は応答情報処理方法を提供し、ＵＥに適用され、応答情報処理方法の処理プロセスは、図３に示すように、以下のステップＳ３０１〜ステップＳ３０２を含む。
【００２９】
ステップＳ３０１、ＵＥはネットワーク装置から送信された、第２情報フィールドを含む指示シグナリングを受信する。
【００３０】
前記指示シグナリングはターゲットデータの伝送をスケジューリングすることに用いられ、前記指示シグナリングはダウンリンク制御シグナリングである。前記第２情報フィールドは物理ダウンリンク共有チャネルのハイブリッド自動再送要求フィードバックタイミング指示（ＰＤＳＣＨ−ｔｏ−ＨＡＲＱ  ｆｅｅｄｂａｃｋ  ｔｉｍｉｎｇ  ｉｎｄｉｃａｔｏｒ）を含む。
【００３１】
ステップＳ３２、ＵＥは前記第２情報フィールドに基づいて、ターゲットデータに対応する応答情報を送信するかどうかを決定する。
【００３２】
１つの実施例では、前記第２情報フィールドは、ターゲットデータに対応する応答情報の伝送時間を指示することに用いられ、又は、第２情報フィールドは、ターゲットデータに対応する応答情報を送信しないことを指示することに用いられる。第２情報フィールドの値がターゲットデータに対応する応答情報を送信しないことを指示することに用いられる場合、ＵＥはターゲットデータに対応する応答情報を送信しないと決定し、第２情報フィールドの値がターゲットデータに対応する応答情報の伝送時間を指示することに用いられる場合、ＵＥは第２情報フィールドにおいて指示された応答情報の伝送時間内にターゲットデータに対応する応答情報をネットワーク装置に送信すると決定する。
【００３３】
他の１つの実施例では、前記第２情報フィールドはターゲットデータに対応する応答情報の伝送時間を指示することに用いられ、前記伝送時間が第３閾値である場合、ＵＥは前記ターゲットデータに対応する応答情報を送信しないと決定し、前記伝送時間が第３閾値でない（第３閾値以外の値である）場合、ＵＥは第２情報フィールドにおいて指示された応答情報の伝送時間内に前記ターゲットデータに対応する応答情報を送信すると決定する。
【００３４】
この時、ＵＥは、上位層シグナリングの設定によって又はプロトコル約束によって、複数のターゲットデータに対応する応答情報の伝送時間のオプション値を事前に取得し、前記複数のオプション値のうちの１つの値又は複数の値は、ターゲットデータに対応する応答情報を送信しないようにＵＥに指示することに用いられ、前記第２情報フィールドはターゲットデータに対応する応答情報の複数の伝送時間のうちの１つの伝送時間を指示することに用いられる。
【００３５】
例えば、ターゲットデータはスロット（ｓｌｏｔ）ｎにおいて伝送され、ターゲットデータに対応する応答情報はｓｌｏｔ（ｎ＋ｋ１）において伝送され、第２情報フィールドの値とターゲットデータに対応する応答情報の伝送時間との対応関係（第１マッピング関係）は図４に示すとおりであり、第２情報フィールドは３ビットで構成され、最大８つの伝送時間値を指示することができ、ネットワーク装置が第２情報フィールドを介して指示する伝送時間が∞である場合、ＵＥがターゲットデータに対応する応答情報を送信しないことを示す。前記第１マッピング関係はネットワーク装置によって設定され、又は、プロトコルによって約束される。
【００３６】
また１つの実施例では、前記第２情報フィールドはターゲットデータに対応する応答情報の伝送時間を指示することに用いられ、前記伝送時間が第４閾値以下である場合、前記第２情報フィールドにおいて指示された応答情報の伝送時間内に前記ターゲットデータに対応する応答情報を送信すると決定する。
【００３７】
例えば、ターゲットデータはスロット（ｓｌｏｔ）ｎにおいて伝送され、ターゲットデータに対応する応答情報はｓｌｏｔ（ｎ＋ｋ１）において伝送され、第２情報フィールドの値とターゲットデータに対応する応答情報の伝送時間との対応関係（第１マッピング関係）は図４に示すとおりであり、第２情報フィールドは３ビットで構成され、最大８つの伝送時間値を指示することができ、第４閾値は８に設定され、ネットワーク装置が第２情報フィールドを介して指示する伝送時間が８より大きい場合、ＵＥがターゲットデータに対応する応答情報を送信しないことを示す。前記第１マッピング関係はネットワーク装置によって設定され、又は、プロトコルによって約束される。
【００３８】
また１つの実施例では、前記第２情報フィールドの値が第５閾値であると前記ＵＥが決定した場合、前記ターゲットデータに対応する応答情報を送信しないと決定する。前記第２情報フィールドの値が第５閾値でないと前記ＵＥが決定した場合、前記第２情報フィールドにおいて指示された応答情報の伝送時間内に前記ターゲットデータに対応する応答情報を送信すると決定する。
【００３９】
前記第３閾値、前記第４閾値、及び前記第５閾値のいずれの値も前記ネットワーク装置によって設定され、又は、プロトコルによって約束されてもよい。
【００４０】
実施例４
上記の実施例１〜実施例３に基づいて、本発明実施例４は応答情報処理方法を提供し、以下のステップＳ４０１を含む。
【００４１】
ステップＳ４０１、ＵＥはターゲットデータに対応する応答情報を送信すると決定した後、前記応答情報を伝送する物理リソースを決定し、前記指示シグナリングにおける第３情報フィールドは応答情報伝送に関連する情報を指示することに用いられる。
【００４２】
又は、ＵＥが前記ターゲットデータに対応する応答情報を送信しないと決定した場合、前記指示シグナリングにおける第３情報フィールドは応答情報伝送に関連しない情報を指示することに用いられ、応答情報伝送に関連しない情報は少なくとも、物理アップリンク制御チャネル（ＰＵＣＣＨ、Ｐｈｙｓｉｃａｌ  Ｕｐｌｉｎｋ  Ｃｏｎｔｒｏｌ  Ｃｈａｎｎｅｌ）リソース指示情報フィールド、又はダウンリンク割当インデックス（ＤＡＩ、Ｄｏｗｎｌｉｎｋ  Ａｓｓｉｇｎｍｅｎｔ  Ｉｎｄｅｘ）情報フィールド等を含み、例えば、ＰＵＣＣＨリソース指示情報フィールド、ＤＡＩ情報フィールドは事前設定の値に設定される。
【００４３】
又は、ＵＥが前記ターゲットデータに対応する応答情報を送信しないと決定した場合、前記指示シグナリングは他の情報、例えば、ターゲットデータを伝送するＢＷＰを指示することによってＢＷＰを動的に切り替えることを実現するための、リソース部分指示情報における帯域幅部分指示情報（ＢＷＰ  ｉｎｄｉｃａｔｏｒ、Ｂａｎｄ  Ｗｉｄｔｈ  Ｐａｒｔ  ｉｎｄｉｃａｔｏｒ）、伝送設定指示（Ｔｒａｎｓｍｉｓｓｉｏｎ  ｃｏｎｆｉｇｕｒａｔｉｏｎ  ｉｎｄｉｃａｔｉｏｎ）、アンテナポート（Ａｎｔｅｎｎａ  ｐｏｒｔ（ｓ））、電力チャネル状態情報参照信号トリガ（ＺＰ  ＣＳＩ−ＲＳ  ｔｒｉｇｇｅｒ、Ｐｏｗｅｒ  Ｃｈａｎｎｅｌ  Ｓｔａｔｅ  Ｉｎｆｏｒｍａｔｉｏｎ  −  Ｒｅｆｅｒｅｎｃｅ  Ｓｉｇｎａｌ  ｔｒｉｇｇｅｒ）、チャネル測定参照信号（ＳＲＳ、Ｓｏｕｎｄｉｎｇ  Ｒｅｆｅｒｅｎｃｅ  Ｓｉｇｎａｌ）要求（ｒｅｑｕｅｓｔ）、復調参照信号（ＤＭＲＳ、Ｄｅｍｏｄｕｌａｔｉｏｎ  Ｒｅｆｅｒｅｎｃｅ  Ｓｉｇｎａｌ）シーケンス初期化（ｓｅｑｕｅｎｃｅ  ｉｎｉｔｉａｌｉｚａｔｉｏｎ）等を指示することに用いられる。
【００４４】
実施例５
本発明実施例５は応答情報処理方法を提供し、ネットワーク装置に適用され、前記応答情報処理方法の処理プロセスは、図５に示すように、以下のステップＳ５０１〜ステップＳ５０２を含む。
【００４５】
ステップＳ５０１、ネットワーク装置はＵＥがターゲットデータに対応する応答情報を送信するかどうかを判断して判断結果を取得する。
【００４６】
１つの実施例では、５Ｇ  ＮＲシステムの安定性を高めるために、ネットワーク装置はダウンリンクターゲットデータをスケジューリングする度に、変調符号化方式（ＭＣＳ、Ｍｏｄｕｌａｔｉｏｎ  ａｎｄ  Ｃｏｄｉｎｇ  Ｓｃｈｅｍｅ）等の情報を動的に調整し、ネットワーク装置の毎回伝送する情報が完全に同じでないようにする。
【００４７】
例えば、比較的に早い時刻（遅延アップリンクから比較的に遠い時刻）にスケジューリングするＰＤＳＣＨに対しては、９９％のターゲットブロック誤り率（ＢＬＥＲ、Ｂｌｏｃｋ  Ｅｒｒｏｒ  Ｒａｔｉｏ）に基づいてＭＣＳを決定し、再送によって９９．９９９％の精度を満たし、これにより、５Ｇ  ＮＲシステムの効率を高める。しかし、比較的に遅い時刻（遅延アップリンクから比較的に近い時刻）にスケジューリングするＰＤＳＣＨに対して９９％のターゲットＢＬＥＲに基づいてＭＣＳを決定する場合、該ＰＤＳＣＨに対してＨＡＲＱ再送を行う必要はなく、従ってＵＥはターゲットデータに対応する応答情報を伝送する必要もない。
【００４８】
ステップＳ５０２、ネットワーク装置は前記判断結果を含む指示シグナリングを前記ＵＥに送信する。
【００４９】
前記指示シグナリングはターゲットデータの伝送をスケジューリングすることに用いられ、前記指示シグナリングはダウンリンク制御シグナリングである。前記判断結果は、ＵＥがターゲットデータに対応する応答情報を送信すること、又はＵＥがターゲットデータに対応する応答情報を送信しないこと、を含む。
【００５０】
１つの実施例では、前記指示シグナリングは、ターゲットデータに対応する応答情報を送信するかどうかをＵＥに指示するための第１情報フィールドを含み、前記第１情報フィールドの値が第１閾値である場合、前記ターゲットデータに対応する応答情報を送信しないように前記ＵＥに指示し、前記第１情報フィールドの値が第２閾値である場合は、前記ターゲットデータに対応する応答情報を送信するように前記ＵＥに指示する。
【００５１】
例えば、第１情報フィールドの値が０である場合、ターゲットデータに対応する応答情報を送信しないようにＵＥに指示し、第１情報フィールドの値が１である場合、ターゲットデータに対応する応答情報を送信するようにＵＥに指示する。ここでは、単に第１情報フィールドの値が０と１であるのを例にしているが、実際の応用では、第１情報フィールドの値は０及び１以外の他の数値に設定されてもよく、ターゲットデータに対応する応答情報を送信する又は送信しないことを指示することに用いられる。
【００５２】
他の１つの実施例では、前記指示シグナリングは第２情報フィールドを含み、前記第２情報フィールドは物理ダウンリンク共有チャネルのハイブリッド自動再送要求フィードバックタイミング指示（ＰＤＳＣＨ−ｔｏ−ＨＡＲＱ  ｆｅｅｄｂａｃｋ  ｔｉｍｉｎｇ  ｉｎｄｉｃａｔｏｒ）を含み、前記第２情報フィールドに含まれる応答情報の伝送時間が第３閾値である場合、前記ターゲットデータに対応する応答情報を送信しないように前記ＵＥに指示し、又は、前記第２情報フィールドに含まれる応答情報の伝送時間が第３閾値でない場合、前記第２情報フィールドにおいて指示された応答情報の伝送時間内に前記ターゲットデータに対応する応答情報を送信するように前記ＵＥに指示し、又は、前記第２情報フィールドにおいて指示された応答情報の伝送時間が第４閾値以下である場合、前記第２情報フィールドにおいて指示された応答情報の伝送時間内に前記ターゲットデータに対応する応答情報を送信するように前記ＵＥに指示する。
【００５３】
また１つの実施例では、前記第２情報フィールドの値が第５閾値である場合、前記ターゲットデータに対応する応答情報を送信しないようにＵＥに指示し、又は、前記第２情報フィールドの値が第５閾値でない場合、前記第２情報フィールドにおいて指示された応答情報の伝送時間内に前記ターゲットデータに対応する応答情報を送信するようにＵＥに指示する。
【００５４】
１つの選択可能な実施形態では、第２情報フィールドの値とターゲットデータに対応する応答情報の伝送時間との対応関係（第１マッピング関係）を事前設定し、これにより、ＵＥが第２情報フィールドの値及び第１マッピング関係に基づいてターゲットデータに対応する応答情報を送信するかどうかを決定する。
【００５５】
本発明実施例では、前記第１閾値、第２閾値、第３閾値、第４閾値、第５閾値の値及び第１マッピング関係はいずれも前記ネットワーク装置によって設定され、又は、プロトコルによって約束されてもよく、前記ネットワーク装置の機能は基地局によって実現されてもよい。
【００５６】
実施例６
本発明実施例６は応答情報処理方法を提供し、ネットワーク装置に適用され、前記応答情報処理方法の処理プロセスは、図６に示すように、実施例５と似ているが、異なる点は、前記指示シグナリングが前記ターゲットデータに対応する応答情報を送信しないように前記ＵＥに指示する場合、更に以下のステップＳ５０３を含むということである。
【００５７】
ステップＳ５０３、ネットワーク装置は応答情報伝送に関連しない第３情報フィールドの値を設定する。
【００５８】
ネットワーク装置は、応答情報伝送に関連しない第３情報フィールドの値を設定することによって、前記指示シグナリングが応答情報伝送に関連しない情報を指示することに用いられるようにする。
【００５９】
応答情報伝送に関連しない第３情報フィールドは少なくとも、ＰＵＣＣＨリソース指示情報フィールド、又はＤＡＩ情報フィールド等を含み、例えば、ＰＵＣＣＨリソース指示情報フィールド、ＤＡＩ情報フィールドを事前設定の値に設定する。
【００６０】
又は、前記ターゲットデータに対応する応答情報を送信しないように前記ＵＥに指示する場合、前記指示シグナリングは他の情報、例えば、ターゲットデータを伝送するＢＷＰを指示することによってＢＷＰを動的に切り替えることを実現するための、リソース部分指示情報におけるＢＷＰ  ｉｎｄｉｃａｔｏｒ、Ｔｒａｎｓｍｉｓｓｉｏｎ  ｃｏｎｆｉｇｕｒａｔｉｏｎ  ｉｎｄｉｃａｔｉｏｎ、Ａｎｔｅｎｎａ  ｐｏｒｔ（ｓ）、ＺＰ  ＣＳＩ−ＲＳ  ｔｒｉｇｇｅｒ、ＳＲＳ  ｒｅｑｕｅｓｔ、ＤＭＲＳ  ｓｅｑｕｅｎｃｅ  ｉｎｉｔｉａｌｉｚａｔｉｏｎ等を指示することに用いられる。
【００６１】
他の１つの実施形態では、前記指示シグナリングが前記ターゲットデータに対応する応答情報を送信するように前記ＵＥに指示する場合、前記第３情報フィールドは応答情報伝送に関連する情報を指示することに用いられる。
【００６２】
実施例７
本発明実施例７はユーザ装置を提供し、前記ユーザ装置の構成構造は図７に示すように、
ネットワーク装置から送信された指示シグナリングを受信するように設定される受信ユニット１１と、
前記指示シグナリングに基づいて、ターゲットデータに対応する応答情報を送信するかどうかを決定するように設定される決定ユニット１２と、を備える。
【００６３】
ターゲットデータに対応する応答情報はＡＣＫ又はＮＡＣＫであり、ＡＣＫはＵＥがネットワーク装置から送信されたターゲットデータを受信したと確認したことを表し、ＮＡＣＫはＵＥがネットワーク装置から送信されたターゲットデータを受信していないと確認したことを表す。
【００６４】
ターゲットデータに対応する応答情報を送信すると決定した場合、ＵＥがターゲットデータに対応するＡＣＫ／ＮＡＣＫメッセージをネットワーク装置に送信する必要があることを表し、ターゲットデータに対応する応答情報を送信しないと決定した場合、ＵＥがターゲットデータに対応するＡＣＫ／ＮＡＣＫメッセージをネットワーク装置に送信する必要がないことを表す。
【００６５】
１つの実施例では、前記指示シグナリングは第１情報フィールドを含み、前記決定ユニット１２は、前記第１情報フィールドの値に基づいて、ターゲットデータに対応する応答情報を送信するかどうかを決定するように設定される。
【００６６】
前記決定ユニット１２は、前記第１情報フィールドの値が第１閾値であると判断した場合、前記ターゲットデータに対応する応答情報を送信しないと決定し、又は、
前記第１情報フィールドの値が第２閾値であると判断した場合、前記ターゲットデータに対応する応答情報を送信すると決定するように設定される。
【００６７】
例えば、ＵＥは第１情報フィールドの値が０であると判断した場合、ターゲットデータに対応する応答情報を送信せず、ＵＥは第１情報フィールドの値が１であると判断した場合、ターゲットデータに対応する応答情報を送信する。ここでは、単に第１情報フィールドの値が０と１であるのを例にしているが、実際の応用では、第１情報フィールドの値は０及び１以外の他の数値に設定されてもよく、ターゲットデータに対応する応答情報を送信する又は送信しないことを指示することに用いられる。
【００６８】
１つの実施例では、前記指示シグナリングは第２情報フィールドを含み、
前記第２情報フィールドに含まれる応答情報の伝送時間が第３閾値である場合、前記ターゲットデータに対応する応答情報を送信しないように前記ＵＥに指示し、又は、前記第２情報フィールドに含まれる応答情報の伝送時間が第３閾値でない場合、前記第２情報フィールドにおいて指示された応答情報の伝送時間内に前記ターゲットデータに対応する応答情報を送信するように前記ＵＥに指示し、又は、前記第２情報フィールドにおいて指示された応答情報の伝送時間が第４閾値以下である場合、前記第２情報フィールドにおいて指示された応答情報の伝送時間内に前記ターゲットデータに対応する応答情報を送信すると決定し、前記第２情報フィールドは物理ダウンリンク共有チャネルのハイブリッド自動再送要求フィードバックタイミング指示を含む。
【００６９】
１つの実施例では、前記指示シグナリングは第２情報フィールドを含み、前記第２情報フィールドの値が第５閾値である場合、前記ターゲットデータに対応する応答情報を送信しないように前記ＵＥに指示し、前記第２情報フィールドの値が第５閾値でない場合、前記第２情報フィールドにおいて指示された応答情報の伝送時間内に前記ターゲットデータに対応する応答情報を送信するように前記ＵＥに指示し、前記第２情報フィールドは物理ダウンリンク共有チャネルのハイブリッド自動再送要求フィードバックタイミング指示を含む。
【００７０】
１つの実施例では、前記決定ユニット１２は更に、前記第２情報フィールドの値及び第１マッピング関係に基づいて、前記第２情報フィールドにおいて指示された応答情報の伝送時間を決定するように設定され、前記第１マッピング関係は前記ネットワーク装置によって設定され、又は、プロトコルによって約束される。
【００７１】
この時、ＵＥは、上位層シグナリングの設定によって又はプロトコル約束によって、複数のターゲットデータに対応する応答情報の伝送時間のオプション値を事前に取得し、前記複数のオプション値のうちの１つの値又は複数の値は、ターゲットデータに対応する応答情報を送信しないようにＵＥに指示することに用いられ、前記第２情報フィールドはターゲットデータに対応する応答情報の複数の伝送時間のうちの１つの伝送時間を指示することに用いられる。
【００７２】
１つの実施例では、前記決定ユニット１２は更に、前記応答情報を伝送する物理リソースを決定するように設定される。
【００７３】
１つの実施例では、前記決定ユニット１２が前記ターゲットデータに対応する応答情報を送信しないと決定した場合、前記指示シグナリングは応答情報伝送に関連しない情報を指示することに用いられる。
【００７４】
前記決定ユニット１２が前記ターゲットデータに対応する応答情報を送信すると決定した場合、前記第３情報フィールドは応答情報伝送に関連する情報を指示することに用いられる。
【００７５】
１つの実施例では、前記第１閾値、第２閾値、第３閾値、第４閾値及び第５閾値の値のいずれも前記ネットワーク装置によって設定され、又は、プロトコルによって約束されてもよい。
【００７６】
１つの実施例では、前記指示シグナリングは前記ターゲットデータの伝送をスケジューリングすることに用いられる。
【００７７】
１つの実施例では、前記指示シグナリングはダウンリンク制御シグナリングである。
【００７８】
実施例８
本発明実施例８はネットワーク装置を提供し、前記ネットワーク装置の構成構造は、図８に示すように、以下のユニットを備える。
【００７９】
判断ユニット２１、ＵＥがターゲットデータに対応する応答情報を送信するかどうかを判断して判断結果を取得するように設定される。
【００８０】
５Ｇ  ＮＲシステムの安定性を高めるために、ネットワーク装置はダウンリンクターゲットデータをスケジューリングする度にＭＣＳ等の情報を動的に調整し、ネットワーク装置の毎回伝送する情報が完全に同じでないようにする。
【００８１】
例えば、比較的に早い時刻（遅延アップリンクから比較的に遠い時刻）にスケジューリングするＰＤＳＣＨに対しては、９９％のターゲットＢＬＥＲに基づいてＭＣＳを決定し、再送によって９９．９９９％の精度を満たし、これにより、５Ｇ  ＮＲシステムの効率を高める。しかし、比較的に遅い時刻（遅延アップリンクから比較的に近い時刻）にスケジューリングするＰＤＳＣＨに対して９９％のターゲットＢＬＥＲに基づいてＭＣＳを決定する場合、該ＰＤＳＣＨに対してＨＡＲＱ再送を行う必要はなく、従ってＵＥはターゲットデータに対応する応答情報を伝送する必要もない。
【００８２】
送信ユニット２２、前記判断結果を含む指示シグナリングを前記ＵＥに送信するように設定される。
【００８３】
１つの実施例では、前記指示シグナリングは第１情報フィールドを含み、
前記第１情報フィールドの値が第１閾値である場合、前記ターゲットデータに対応する応答情報を送信しないように前記ＵＥに指示し、前記第１情報フィールドの値が第１閾値である場合、前記ターゲットデータに対応する応答情報を送信するように前記ＵＥに指示する。
【００８４】
例えば、第１情報フィールドの値が０である場合、ターゲットデータに対応する応答情報を送信しないようにＵＥに指示し、第１情報フィールドの値が１である場合、ターゲットデータに対応する応答情報を送信するようにＵＥに指示する。ここでは、単に第１情報フィールドの値が０と１であるのを例にしているが、実際の応用では、第１情報フィールドの値は０及び１以外の他の数値に設定されてもよく、ターゲットデータに対応する応答情報を送信する又は送信しないことを指示することに用いられる。
【００８５】
１つの実施例では、前記指示シグナリングは第２情報フィールドを含み、
前記第２情報フィールドに含まれる応答情報の伝送時間が第３閾値である場合、前記ターゲットデータに対応する応答情報を送信しないように前記ＵＥに指示し、又は、前記第２情報フィールドに含まれる応答情報の伝送時間が第３閾値でない場合、前記伝送時間内に前記ターゲットデータに対応する応答情報を送信するように前記ＵＥに指示し、又は、前記第２情報フィールドにおいて指示された応答情報の伝送時間が第４閾値以下である場合、前記第２情報フィールドにおいて指示された応答情報の伝送時間内に前記ターゲットデータに対応する応答情報を送信するように前記ＵＥに指示し、前記第２情報フィールドは物理ダウンリンク共有チャネルのハイブリッド自動再送要求フィードバックタイミング指示を含む。
【００８６】
１つの実施例では、前記指示シグナリングは第２情報フィールドを含み、前記第２情報フィールドの値が第５閾値である場合、前記ターゲットデータに対応する応答情報を送信しないように前記ＵＥに指示し、
前記第２情報フィールドの値が第５閾値でない場合、前記第２情報フィールドにおいて指示された伝送時間内に前記ターゲットデータに対応する応答情報を送信するように前記ＵＥに指示し、前記第２情報フィールドは物理ダウンリンク共有チャネルのハイブリッド自動再送要求フィードバックタイミング指示を含む。
【００８７】
１つの選択可能な実施形態では、第２情報フィールドの値とターゲットデータに対応する応答情報の伝送時間との対応関係（第１マッピング関係）を事前設定し、これにより、ＵＥが第２情報フィールドの値及び第１マッピング関係に基づいてターゲットデータに対応する応答情報を送信するかどうかを決定できる。
【００８８】
１つの実施例では、前記第１閾値、第２閾値、第３閾値、第４閾値及び第５閾値のいずれの値も前記ネットワーク装置によって設定され、又は、プロトコルによって約束されてもよい。
【００８９】
１つの実施例では、前記ネットワーク装置は更に以下のユニットを備える。
【００９０】
設定ユニット２３、前記指示シグナリングが前記ターゲットデータに対応する応答情報を送信しないように前記ＵＥに指示する場合、応答情報伝送に関連しない情報フィールドの値を設定するように設定され、これにより、前記指示シグナリングが応答情報伝送に関連しない情報フィールドを指示することに用いられる。
【００９１】
１つの実施例では、前記指示シグナリングは前記ターゲットデータの伝送をスケジューリングすることに用いられる。
【００９２】
１つの実施例では、前記指示シグナリングはダウンリンク制御シグナリングである。
【００９３】
当業者なら分かるように、本発明の実施例は、方法、システム、又はコンピュータプログラム製品として提供されてもよい。従って、本発明はハードウェア実施例、ソフトウェア実施例、又はソフトウェアとハードウェアを組み合わせた実施例の形式を採用してもよい。そして、本発明は、コンピュータ使用可能プログラムコードが含まれる１つ又は複数のコンピュータ使用可能記憶媒体（磁気ディスクメモリ及び光学メモリ等を含むが、それには限らない）において実行されるコンピュータプログラム製品の形式を採用してもよい。
【００９４】
それに対応して、本発明実施例は更に、コンピュータプログラムが記憶されるコンピュータ記憶媒体を提供し、該コンピュータプログラムはプロセッサによって実行される時、
ネットワーク装置から送信された指示シグナリングに基づいて、ターゲットデータに対応する応答情報を送信するかどうかを決定することを実行する。
【００９５】
本発明実施例は更に、コンピュータプログラムが記憶される他のコンピュータ記憶媒体を提供し、該コンピュータプログラムはプロセッサによって実行される時、
ユーザ装置（ＵＥ）がターゲットデータに対応する応答情報を送信するかどうかを判断して判断結果を取得することと、
前記判断結果を含む指示シグナリングを前記ＵＥに送信することと、を実行する。
【００９６】
図９は本発明実施例の電子デバイス（ネットワーク装置又はＵＥ）のハードウェア構成構造の模式図であり、電子デバイス７００は、少なくとも１つのプロセッサ７０１、メモリ７０２、及び少なくとも１つのネットワークインタフェース７０４を備える。サーバ７００における各構成要素はバスシステム７０５によって結合される。理解できるように、バスシステム７０５はこれらの構成要素間の接続・通信を実現することに用いられる。バスシステム７０５はデータバスを備える他、更に電源バス、制御バス及び状態信号バスを備える。しかし明確に説明するために、図９では様々なバスを全てバスシステム７０５と表記する。
【００９７】
理解できるように、メモリ７０２は揮発性メモリ又は不揮発性メモリであってもよく、揮発性と不揮発性メモリの両方を含んでもよい。不揮発性メモリはＲＯＭ、プログラム可能読み出し専用メモリ（ＰＲＯＭ、Ｐｒｏｇｒａｍｍａｂｌｅ  Ｒｅａｄ−Ｏｎｌｙ  Ｍｅｍｏｒｙ）、消去可能プログラマブル読取り専用メモリ（ＥＰＲＯＭ、Ｅｒａｓａｂｌｅ  Ｐｒｏｇｒａｍｍａｂｌｅ  Ｒｅａｄ−Ｏｎｌｙ  Ｍｅｍｏｒｙ）、電気的消去可能プログラマブル読取り専用メモリ（ＥＥＰＲＯＭ、Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、磁気ランダムアクセスメモリ（ＦＲＡＭ、ｆｅｒｒｏｍａｇｎｅｔｉｃ  ｒａｎｄｏｍ  ａｃｃｅｓｓ  ｍｅｍｏｒｙ）、フラッシュメモリ（Ｆｌａｓｈ  Ｍｅｍｏｒｙ）、磁性表面メモリ、光ディスク、又は読み取り専用光ディスク（ＣＤ−ＲＯＭ、Ｃｏｍｐａｃｔ  Ｄｉｓｃ  Ｒｅａｄ−Ｏｎｌｙ  Ｍｅｍｏｒｙ）であってもよく、、磁性表面メモリは磁気ディスクメモリ、又は磁気テープメモリであってもよい。揮発性メモリはランダムアクセスメモリ（ＲＡＭ、Ｒａｎｄｏｍ  Ａｃｃｅｓｓ  Ｍｅｍｏｒｙ）であってもよく、外部キャッシュメモリとして使用される。制限的ではなく、例示的な説明によれば、多くの形式のＲＡＭ、例えばスタティックランダムアクセスメモリ（ＳＲＡＭ、Ｓｔａｔｉｃ  Ｒａｎｄｏｍ  Ａｃｃｅｓｓ  Ｍｅｍｏｒｙ）、シンクロナススタティックランダムアクセスメモリ（ＳＳＲＡＭ、Ｓｙｎｃｈｒｏｎｏｕｓ  Ｓｔａｔｉｃ  Ｒａｎｄｏｍ  Ａｃｃｅｓｓ  Ｍｅｍｏｒｙ）、ダイナミックランダムアクセスメモリ（ＤＲＡＭ、Ｄｙｎａｍｉｃ  Ｒａｎｄｏｍ  Ａｃｃｅｓｓ  Ｍｅｍｏｒｙ）、シンクロナスダイナミックランダムアクセスメモリ（ＳＤＲＡＭ、Ｓｙｎｃｈｒｏｎｏｕｓ  Ｄｙｎａｍｉｃ  Ｒａｎｄｏｍ  Ａｃｃｅｓｓ  Ｍｅｍｏｒｙ）、ダブルデータレートシンクロナスダイナミックランダムアクセスメモリ（ＤＤＲＳＤＲＡＭ、Ｄｏｕｂｌｅ  Ｄａｔａ  Ｒａｔｅ  Ｓｙｎｃｈｒｏｎｏｕｓ  Ｄｙｎａｍｉｃ  Ｒａｎｄｏｍ  Ａｃｃｅｓｓ  Ｍｅｍｏｒｙ）、拡張型シンクロナスダイナミックランダムアクセスメモリ（ＥＳＤＲＡＭ、Ｅｎｈａｎｃｅｄ  Ｓｙｎｃｈｒｏｎｏｕｓ  Ｄｙｎａｍｉｃ  Ｒａｎｄｏｍ  Ａｃｃｅｓｓ  Ｍｅｍｏｒｙ）、シンクリンクダイナミックランダムアクセスメモリ（ＳＬＤＲＡＭ、ＳｙｎｃＬｉｎｋ  Ｄｙｎａｍｉｃ  Ｒａｎｄｏｍ  Ａｃｃｅｓｓ  Ｍｅｍｏｒｙ）、ダイレクトラムバスランダムアクセスメモリ（ＤＲＲＡＭ、Ｄｉｒｅｃｔ  Ｒａｍｂｕｓ  Ｒａｎｄｏｍ  Ａｃｃｅｓｓ  Ｍｅｍｏｒｙ）が利用可能である。本発明実施例に説明されるメモリ７０２はこれらのメモリ及び任意の他の適切なタイプのメモリを含むが、これらに限らないように意図されている。
【００９８】
本発明実施例におけるメモリ７０２は、電子デバイス７００の動作をサポートするために様々なタイプのデータを記憶することに用いられる。これらのデータの例は、電子デバイス７００において動作するための任意のコンピュータプログラム、例えば、アプリケーションプログラム７０２２を含む。本発明実施例の方法を実現するプログラムはアプリケーションプログラム７０２２に含まれてもよい。
【００９９】
上記の本発明実施例に開示される方法は、プロセッサ７０１において適用され、又はプロセッサ７０１によって実現されてもよい。プロセッサ７０１は信号の処理能力を有する集積回路チップでありうる。実現過程において、上記方法の各ステップはプロセッサ７０１におけるハードウェアの集積論理回路又はソフトウェア形式の命令で遂行されてもよい。上記のプロセッサ７０１は、汎用プロセッサ、デジタル信号プロセッサ（ＤＳＰ、Ｄｉｇｉｔａｌ  Ｓｉｇｎａｌ  Ｐｒｏｃｅｓｓｏｒ）、又は他のプログラマブル論理デバイス、個別ゲート又はトランジスタ論理デバイス、個別ハードウェア構成要素であってもよい。プロセッサ７０１は、本発明実施例に開示される各方法、ステップ及び論理ブロック図を実現又は実行することができる。汎用プロセッサはマイクロプロセッサ又はいずれかの通常のプロセッサ等であってもよい。本発明実施例によって開示される方法のステップはハードウェア復号プロセッサで遂行し、又は復号プロセッサにおけるハードウェア及びソフトウェアモジュールの組み合わせで遂行するように直接具現されてもよい。ソフトウェアモジュールは記憶媒体に位置してもよく、該記憶媒体はメモリ７０２に位置し、プロセッサ７０１はメモリ７０２における情報を読み取り、ハードウェアと組み合わせて前述の方法のステップを遂行する。
【０１００】
例示的な実施例では、電子デバイス７００は、１つ又は複数の特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ、プログラマブル論理デバイス（ＰＬＤ、Ｐｒｏｇｒａｍｍａｂｌｅ  Ｌｏｇｉｃ  Ｄｅｖｉｃｅ）、複合プログラマブル論理デバイス（ＣＰＬＤ、Ｃｏｍｐｌｅｘ  Ｐｒｏｇｒａｍｍａｂｌｅ  Ｌｏｇｉｃ  Ｄｅｖｉｃｅ）、ＦＰＧＡ、汎用プロセッサ、コントローラ、ＭＣＵ、ＭＰＵ、又は他の電子素子によって実現されてもよく、前述の方法を実行することに用いられる。
【０１０１】
本発明は本発明実施例による方法、装置（システム）、及びコンピュータプログラム製品のフローチャート及び／又はブロック図を参照して説明されるものである。理解されるように、コンピュータプログラム命令によって、フローチャート及び／又はブロック図における各プロセス及び／又はブロック、及び、フローチャート及び／又はブロック図におけるプロセス及び／又はブロックの組み合わせが実現されてもよい。これらのコンピュータプログラム命令が汎用コンピュータ、専用コンピュータ、組み込みプロセッサ、又は他のプログラム可能なデータ処理装置のプロセッサに提供されてマシンが生成されてもよく、それによって、コンピュータ又は他のプログラム可能なデータ処理装置のプロセッサを介して実行される命令は、フローチャートの１つ又は複数のプロセス、及び／又はブロック図の１つ又は複数のブロックにおいて指定される機能を実現するための装置を生成する。
【０１０２】
これらのコンピュータプログラム命令は、コンピュータプ又は他のプログラム可能なデータ処理装置を特定の方式で動作するように導くことのできるコンピュータ可読メモリに記憶されてもよく、それによって、該コンピュータ可読メモリに記憶される命令は命令装置を含む製造品を生成し、該命令装置はフローチャートの１つ又は複数のプロセス、及び／又はブロック図の１つ又は複数のブロックにおいて指定される機能を実現する。
【０１０３】
これらのコンピュータプログラム命令はコンピュータ又は他のプログラム可能なデータ処理装置に実装されてもよく、それによって、コンピュータ又は他のプログラム可能な装置において一連の動作ステップが実行されてコンピュータの実現する処理が生成され、これにより、コンピュータ又は他のプログラム可能な装置において実行される命令は、フローチャートの１つ又は複数のプロセス、及び／又はブロック図の１つ又は複数のブロックにおいて指定される機能を実現するためのステップを提供する。
【０１０４】
以上の説明は本発明の比較的に良い実施例に過ぎず、本発明の保護範囲を限定するためのものではない。本発明の精神及び原則内において行われる全ての修正、同等な代替、改善等は、いずれも本発明の保護範囲に含まれるべきである。
【図１】
2021513812.tif 000003
【図２】
2021513812.tif 000004
【図３】
2021513812.tif 000005
【図４】
2021513812.tif 000006
【図５】
2021513812.tif 000007
【図６】
2021513812.tif 000008
【図７】
2021513812.tif 000009
【図８】
2021513812.tif 000010
【図９】
2021513812.tif 000011
【手続補正書】
【提出日】令和2年8月14日(2020.8.14)
【手続補正１】
【補正対象書類名】明細書
【補正対象項目名】００８３
【補正方法】変更
【補正の内容】
【００８３】
１つの実施例では、前記指示シグナリングは第１情報フィールドを含み、
前記第１情報フィールドの値が第１閾値である場合、前記ターゲットデータに対応する応答情報を送信しないように前記ＵＥに指示し、前記第１情報フィールドの値が第２閾値である場合、前記ターゲットデータに対応する応答情報を送信するように前記ＵＥに指示する。
【手続補正２】
【補正対象書類名】明細書
【補正対象項目名】００９６
【補正方法】変更
【補正の内容】
【００９６】
図９は本発明実施例の電子デバイス（ネットワーク装置又はＵＥ）のハードウェア構成構造の模式図であり、電子デバイス７００は、少なくとも１つのプロセッサ７０１、メモリ７０２、及び少なくとも１つのネットワークインタフェース７０４を備える。電子デバイス７００における各構成要素はバスシステム７０５によって結合される。理解できるように、バスシステム７０５はこれらの構成要素間の接続・通信を実現することに用いられる。バスシステム７０５はデータバスを備える他、更に電源バス、制御バス及び状態信号バスを備える。しかし明確に説明するために、図９では様々なバスを全てバスシステム７０５と表記する。
【手続補正３】
【補正対象書類名】特許請求の範囲
【補正対象項目名】全文
【補正方法】変更
【補正の内容】
【特許請求の範囲】
【請求項１】
応答情報処理方法であって、
ユーザ装置（ＵＥ）がダウンリンク制御シグナリング（ＤＣＩ）を受信し、前記ＤＣＩはターゲットデータの伝送をスケジューリングすることに用いられることと、
前記ＵＥが前記ＤＣＩにおける物理ダウンリンク共有チャネルのハイブリッド自動再送要求フィードバックタイミング指示フィールドに基づいて、前記ターゲットデータの応答情報を送信するかどうかを決定することと、を含む応答情報処理方法。
【請求項２】
前記物理ダウンリンク共有チャネルのハイブリッド自動再送要求フィードバックタイミング指示フィールドは、前記応答情報を送信する伝送時間又は応答情報を送信しないことを指示することに用いられることを含む請求項１に記載の方法。
【請求項３】
前記物理ダウンリンク共有チャネルのハイブリッド自動再送要求フィードバックタイミング指示フィールドの値が第５閾値である場合、前記ＵＥは前記応答情報を送信しないと決定し、又は、
前記物理ダウンリンク共有チャネルのハイブリッド自動再送要求フィードバックタイミング指示フィールドの値が第５閾値でない場合、前記ＵＥは伝送時間内に前記応答情報を送信すると決定し、前記伝送時間は前記物理ダウンリンク共有チャネルのハイブリッド自動再送要求フィードバックタイミング指示フィールドの値に基づいて決定される請求項１又は２に記載の方法。
【請求項４】
前記伝送時間はスロットｎ＋ｋであり、スロットｎは前記ターゲットデータの伝送スロットであり、ｋは前記物理ダウンリンク共有チャネルのハイブリッド自動再送要求フィードバックタイミング指示フィールドの値に基づいて決定される請求項３に記載の方法。
【請求項５】
前記物理ダウンリンク共有チャネルのハイブリッド自動再送要求フィードバックタイミング指示フィールドの値により指示される伝送時間は、ネットワーク装置によって設定される請求項３又は４に記載の方法。
【請求項６】
応答情報処理方法であって、
ネットワーク装置が、ユーザ装置（ＵＥ）がターゲットデータの応答情報を送信するかどうかを判断して判断結果を取得することと、
前記判断結果を含むダウンリンク制御シグナリング（ＤＣＩ）を前記ＵＥに送信し、前記ＤＣＩは前記ターゲットデータの伝送をスケジューリングすることに用いられ、前記ＤＣＩは物理ダウンリンク共有チャネルのハイブリッド自動再送要求フィードバックタイミング指示フィールドを含むことと、を含む応答情報処理方法。
【請求項７】
前記物理ダウンリンク共有チャネルのハイブリッド自動再送要求フィードバックタイミング指示フィールドは、前記応答情報を送信する伝送時間又は前記応答情報を送信しないことを指示することに用いられる請求項６に記載の方法。
【請求項８】
前記物理ダウンリンク共有チャネルのハイブリッド自動再送要求フィードバックタイミング指示フィールドの値が第５閾値である場合、前記応答情報を送信しないように前記ＵＥに指示し、
前記物理ダウンリンク共有チャネルのハイブリッド自動再送要求フィードバックタイミング指示フィールドの値が第５閾値でない場合、伝送時間内に前記応答情報を送信するように前記ＵＥに指示し、前記伝送時間は前記物理ダウンリンク共有チャネルのハイブリッド自動再送要求フィードバックタイミング指示フィールドの値に基づいて決定される請求項６又は７に記載の方法。
【請求項９】
前記伝送時間はスロットｎ＋ｋであり、スロットｎは前記ターゲットデータの伝送スロットであり、ｋは前記物理ダウンリンク共有チャネルのハイブリッド自動再送要求フィードバックタイミング指示フィールドの値に基づいて決定される請求項８に記載の方法。
【請求項１０】
前記物理ダウンリンク共有チャネルのハイブリッド自動再送要求フィードバックタイミング指示フィールドの値により指示される伝送時間は、前記ネットワーク装置によって設定される請求項８又は９に記載の方法。
【請求項１１】
ユーザ装置であって、
ダウンリンク制御シグナリング（ＤＣＩ）を受信するように設定され、前記ＤＣＩはターゲットデータの伝送をスケジューリングすることに用いられる受信ユニットと、
前記ＤＣＩにおける物理ダウンリンク共有チャネルのハイブリッド自動再送要求フィードバックタイミング指示フィールドに基づいて、前記ターゲットデータの応答情報を送信するかどうかを決定するように設定される決定ユニットと、を備えるユーザ装置。
【請求項１２】
前記物理ダウンリンク共有チャネルのハイブリッド自動再送要求フィードバックタイミング指示フィールドは、前記応答情報を送信する伝送時間又は応答情報を送信しないことを指示することに用いられる請求項１１に記載のユーザ装置。
【請求項１３】
前記決定ユニットは、前記物理ダウンリンク共有チャネルのハイブリッド自動再送要求フィードバックタイミング指示フィールドの値が第５閾値であると決定した場合、前記応答情報を送信しないと決定し、又は、
前記物理ダウンリンク共有チャネルのハイブリッド自動再送要求フィードバックタイミング指示フィールドの値が第５閾値でないと決定した場合、伝送時間内に前記応答情報を送信すると決定するように設定され、
前記伝送時間は前記物理ダウンリンク共有チャネルのハイブリッド自動再送要求フィードバックタイミング指示フィールドの値に基づいて決定される請求項１１又は１２に記載のユーザ装置。
【請求項１４】
前記伝送時間はスロットｎ＋ｋであり、スロットｎは前記ターゲットデータの伝送スロットであり、ｋは前記物理ダウンリンク共有チャネルのハイブリッド自動再送要求フィードバックタイミング指示フィールドの値に基づいて決定される請求項３に記載のユーザ装置。
【請求項１５】
前記物理ダウンリンク共有チャネルのハイブリッド自動再送要求フィードバックタイミング指示フィールドの値により指示される伝送時間は、前記ネットワーク装置によって設定される請求項１３又は１４に記載のユーザ装置。
【国際調査報告】
2021513812.tif 000012
2021513812.tif 000013
2021513812.tif 000014
2021513812.tif 000015